(57)【要約】【課題】店頭にてワンタッチで組み立てることができ、しかも２室を形成した上で、保形性も良い食品直詰め容器を提供する。【解決手段】前板１と後板４とこれらを連結する両側板２，３とにより角筒状の周壁が形成されており、前板１及び後板４の下端にはそれぞれ折線を介して底板と仕切板７，９が順に連設され、各側板２，３の下端にはそれぞれ折線及び斜め折線を介して重合底板と貼着板が順に連設され、貼着板が隣り合う底板に貼着されてオートボトムが形成されているとともに、そのオートボトムにおける対向する底板からそれぞれ仕切板７，９が立設することで内部が前室と後室に区画されている。前板１の上端には折線を介して蓋板１４が連設され、この蓋板１４にはその両側端にそれぞれ折線を介して側板２，３に連設する折込み板１５，１６が設けられており、蓋板１４を内側に押し倒すことにより折込み板１５，１６が反転して前室を覆う。【選択図】図１
2008247428.tif 000002
【特許請求の範囲】
【請求項１】
板紙からなる１枚のブランク板からなり、背の低い前板と背の高い後板とこれらを連結する台形状の両側板とにより角筒状の周壁が形成されており、前板及び後板の下端にはそれぞれ折線を介して底板と仕切板が順に連設され、各側板の下端にはそれぞれ折線及び斜め折線を介して重合底板と貼着板が順に連設され、貼着板が隣り合う底板に貼着されてオートボトムが形成されているとともに、そのオートボトムにおける対向する底板からそれぞれ仕切板が立設することで内部が前室と後室に区画されており、前板の上端には折線を介して蓋板が連設され、この蓋板にはその両側端にそれぞれ折線を介して側板に連設する折込み板が設けられており、蓋板を内側に押し倒すことにより折込み板が反転して前室を覆うように構成されていることを特徴とする食品直詰め容器。
【請求項２】
各仕切板の上部に切欠を設けるとともに、その切欠に対応して蓋板の上端に突起を延設したことを特徴とする請求項１に記載の食品直詰め容器。
【発明の詳細な説明】
【技術分野】
【０００１】
本発明は、板紙で形成される容器の技術分野に属し、主にファーストフード店で店内用や持ち帰り用のワンハンド容器として好適に用いられる食品直詰め容器に関する。
【背景技術】
【０００２】
従来より、ポテトチップス、フライドチキン、ナゲット等のファーストフードは、店頭において調理され、そのまま簡単な容器に入れて顧客に手渡しで提供されている。この場合、使用される食品直詰め容器としては、店頭で組み立てる紙箱や袋、或いは、スタック可能なプラスチック容器等がある。
【０００３】
【特許文献１】実開平６−３００１４号公報
【特許文献２】特開２００３−２５２３６４号公報
【特許文献３】特開２００５−１２６０８９号公報
【発明の開示】
【発明が解決しようとする課題】
【０００４】
上記したファーストフード用の食品直詰め容器は、廃棄性や保管性から見ても板紙製のものが好ましい。しかしながら、２種類の異なった食品を入れる場合には、印刷面に食品が触れることは衛生上タブーとなっていることから、板紙の裏面にのみ食品が触れるようにしなければならず、かつ２つに区切れた室を形成しようとするとかなり難しい構造になってしまう。さらに、ファーストフード用としての容器は、畳んで収納されるとともに使用にあたってワンタッチで組み立てられなければならない。
【０００５】
本発明は、このような問題点に鑑みてなされたものであり、その目的とするところは、店内にてワンタッチで組み立てられ、しかも２室を形成した衛生的な食品直詰め容器を提供することにある。
【課題を解決するための手段】
【０００６】
上記の目的を達成するため、本発明の食品直詰め容器は、板紙からなる１枚のブランク板からなり、背の低い前板と背の高い後板とこれらを連結する台形状の両側板とにより角筒状の周壁が形成されており、前板及び後板の下端にはそれぞれ折線を介して底板と仕切板が順に連設され、各側板の下端にはそれぞれ折線及び斜め折線を介して重合底板と貼着板が順に連設され、貼着板が隣り合う底板に貼着されてオートボトムが形成されているとともに、そのオートボトムにおける対向する底板からそれぞれ仕切板が立設することで内部が前室と後室に区画されており、前板の上端には折線を介して蓋板が連設され、この蓋板にはその両側端にそれぞれ折線を介して側板に連設する折込み板が設けられており、蓋板を内側に押し倒すことにより折込み板が反転して前室を覆うように構成されていることを特徴とする。
【０００７】
そして、上記構成からなる食品直詰め容器において、各仕切板の上部に切欠を設けるとともに、その切欠に対応して蓋板の上端に突起を延設した構成としてもよい。
【発明の効果】
【０００８】
本発明の食品直詰め容器は、オートボトムであるため、保管時のサック貼り状態から起こすだけで底部を形成して角筒状の容器とすることができ、しかも底部から立設した仕切板により内部が背の低い方の前室と背の高い方の後室の２つに分かれているため、２種類の異なった食品を入れることができる。そして、前室に食品を入れてから蓋板を押し倒すだけの操作で前室に蓋をすることができ、その蓋板が両側板を突っ張る形になるので容器の撓みが防止され、保形性が良好となり、手でしっかりと持てることになる。また、印刷面が容器の内側にくることはなく、衛生面でも問題はない。
【０００９】
そして、各仕切板の上部に半円状の切欠を設けるとともに、その切欠に対応して蓋板の上端に突起を設けたことにより、突起を摘んで蓋板を開けることができる。
【発明を実施するための最良の形態】
【００１０】
次に、本発明の実施の形態について図面を参照しながら詳細に説明する。
【００１１】
図１は本発明に係る食品直詰め容器の一例を示す斜視図、図２は図１に示す食品直詰め容器を組み立てるブランク板の展開図である。なお、この食品直詰め容器は、手のひらに載るサイズを想定しているが、少し位大きくても差し支えない。
【００１２】
図２のブランク板は、食品に直接触れても差し支えのない処理を内面に施した板紙（例えば、樹脂コーティングした板紙、ポリエチレンやポリプロピレンなどのフィルムをラミネートした板紙等）を打ち抜いて形成されたもので、図示のように、背の低い前板１の一方の側辺に折線ａを介して台形状の側板２が連設され、他方の側辺に折線ｂ，ｃ，ｄを介して台形状の側板３、背の高い後板４、狭幅の糊代片５が順に連設されており、前板１の下端には折線ｅ，ｆを介して底板６と仕切板７が順に連設され、後板４の下端には折線ｇ，ｈを介して底板８と仕切板９が順に連設されており、一方の側板２の下端には折線ｉ及び斜め折線ｊを介して重合底板１０と貼着板１１が順に連設され、他方の側板３の下端には折線ｋ及び斜め折線ｌを介して重合底板１２と貼着板１３が順に連設されている。
【００１３】
そして、前板１の上端には折線ｍを介して蓋板１４が連設され、この蓋板１４にはその両側端にそれぞれ折線ｎ，ｏを介して側板２，３に連設する折込み板１５，１６が設けられている。
【００１４】
また、仕切板７，９には、その先端に半円状の切欠７ａ，９ａが設けられており、蓋板１４の先端には折線ｐを介して半円状の突起１７が設けられている。
【００１５】
この図２に示すブランク板を組み立てて図１に示す食品直詰め容器を形成するが、その手順は次のようである。
【００１６】
まず、ブランク板を図３に示す折畳み状態でサック貼りする。この場合、横方向に繋がる折線ｅ，ｇ，ｉ，ｋでブランク板全体を下半が内側になる状態で上下半分に折り曲げた後、縦方向の折線ｃ，ｄで順次折り曲げて、糊代片５の外面に側板２の端部内面を貼り合わせる。この貼合せ時において、貼着板１１を斜め折線ｊで折り返した状態として隣接する底板６に貼り合わせるとともに、貼着板１３を斜め折線ｌで折り返した状態として隣接する底板８に貼り合わせる。
【００１７】
次に、サック貼りされた図３の状態から起こして図１の箱の形状にする。この場合、折線ａ，ｂ，ｃ，ｄにより前板１、後板４、両側板２，３を角筒状の周壁を形成するように起こすと、貼着された底部構成部分、すなわち底板６、貼着板１１及び重合底板１０の部分と底板８、貼着板１３及び重合底板１２の部分がオートボトムの構造になっているので、底部が自動的に形成されるとともに、底板６，８に連設されている仕切板７，９がそれぞれ折り立てられつつ、内部を二等分する位置で当接し、図１に示すように箱の内部が前板寄りの前室と後板寄りの後室とに区画される。
【００１８】
図１の食品直詰め容器は、サック貼り状態で供給され、店頭にてワンタッチで図１のように組み立てられた後、調理した食品を入れて顧客に手渡しで提供される。例えば、前室に数個のチキンナゲットを入れ、蓋板１４を前室に被せてから、後室にポテトチップを入れるという具合に、２種類の食品を分けて入れることができる。この場合、閉じる際に蓋板１４を内側に押し倒すと、両サイドの折込み板１５，１６を介して側板２，３が押し広げられ、蓋板１４と折込み板１５，１６が同一平面状態を乗り越えると、折込み板１５，１６が反転することで蓋板１４は勢いよく内側に倒れ、前室に被さることになる。このように、前室に蓋がされると、蓋板１４が両側板２，３を突っ張る形になるので容器の撓みが防止される。
【００１９】
そして、蓋板１４の上端に設けた突起１７を引っ張ることで、蓋板１４を引き上げて前室を開けることができる。この時、仕切板７，９の上部には半円状の切欠７ａ，９ａを設けてあるので、突起１７を摘むことができる。
【００２０】
なお、図１及び図４では底部が平らな状態で図示しているが、実際はオートボトムを構成する板紙のスプリングバック作用により底部は若干浮いた状態となり、仕切板７，９も少し上方に位置するが、店頭における取扱いには特段の影響はない。
【００２１】
以上、本発明の実施の形態について詳細に説明してきたが、本発明による食品直詰め容器は、上記実施の形態に何ら限定されるものではなく、本発明の趣旨を逸脱しない範囲において種々の変更が可能であることは当然のことである。
【図面の簡単な説明】
【００２２】
【図１】本発明に係る食品直詰め容器の一例を示す斜視図である。
【図２】図１に示す食品直詰め容器を組み立てるブランク板の展開図である。
【図３】ブランク板をサック貼りした状態を示す平面図である。
【図４】図１に示す食品直詰め容器を前室を閉じた状態で示す斜視図である。
【符号の説明】
【００２３】
１  前板
２，３  側板
４  後板
５  糊代片
６  底板
７  仕切板
７ａ  切欠
８  底板
９  仕切板
９ａ  切欠
１０  重合底板
１１  貼着板
１２  重合底板
１３  貼着板
１４  蓋板
１５，１６  折込み板
１７  突起
ａ〜ｐ  折線
【図１】
2008247428.tif 000003
【図２】
2008247428.tif 000004
【図３】
2008247428.tif 000005
【図４】
2008247428.tif 000006